(57)【特許請求の範囲】
【請求項１】
鍵、ハンマーヘッドを含むアクション、及び弦が複数のセクションに分けられているピアノのアクションであって、
前記セクションの端に位置するハンマーヘッドのうちの少なくとも１つである対象ハンマーヘッドの外側に、前記対象ハンマーヘッドが属する前記セクションの前記対象ハンマーヘッドとその内側に位置するハンマーヘッドとの間の隙間に対応する隙間を空けて、前記ハンマーヘッドを側面視した場合の形状、大きさと略等しい形状、大きさを有する面である対向面を有するダミー部材が、側面視した場合に前記対向面が前記対象ハンマーヘッドの外側面とその向き及び位置が対応するようにして、且つその対向面が前記対象ハンマーヘッドの外側面と平行になるようにして、配されている、
アクション。
【請求項２】
前記対象ハンマーヘッドは、複数の前記セクションのうちの隣接するセクションの境界に位置するすべての前記ハンマーヘッドである、
請求項１記載のアクション。
【請求項３】
前記対象ハンマーヘッドは、複数の前記セクションのうちの最も外側に位置する２つのセクションの中で外側の端に位置する２つの前記ハンマーヘッドである、
請求項１又は２記載のアクション。
【請求項４】
前記ダミー部材は、板である、
請求項１記載のアクション。
【請求項５】
前記ダミー部材は、前記ハンマーヘッドと同様に構成され、且ついずれの鍵を押しても動かないようにされている、
請求項１記載のアクション。
【請求項６】
前記ピアノはアップライトピアノであり、
前記ダミー部材は、ハンマーストップレール、又はセンターレールに固定されている、
請求項１、４又は５記載のアクション。
【請求項７】
前記ピアノはグランドピアノであり、
前記ダミー部材は、ハンマーストップレール、又はハンマーシャンクレールに固定されている、
請求項１、４又は５記載のアクション。
【請求項８】
請求項１〜７のいずれかに記載のアクションを含んでいる、
ピアノ。
【請求項９】
鍵、ハンマーヘッドを含むアクション、及び弦が複数のセクションに分けられているピアノのアクションの改修方法であって、
前記セクションの端に位置するハンマーヘッドのうちの少なくとも１つである対象ハンマーヘッドの外側に、前記対象ハンマーヘッドが属する前記セクションの前記対象ハンマーヘッドとその内側に位置するハンマーヘッドとの間の隙間に対応する隙間を空けて、前記ハンマーヘッドを側面視した場合の形状、大きさと略等しい形状、大きさを有する面である対向面を有するダミー部材を、側面視した場合に前記対向面が前記対象ハンマーヘッドの外側面とその向き及び位置が対応するようにして、且つその対向面が前記対象ハンマーヘッドの外側面と平行になるようにして、取付ける、
アクションの改修方法。
【発明の詳細な説明】
【技術分野】
【０００１】
本発明は、ピアノのアクションに関する。
【背景技術】
【０００２】
ピアノは多数の弦を備えており、各弦を叩いて発音を行うための構造を備えている。それは広く知られているように、アクションと呼ばれる。
ピアノのアクションは、演奏者がピアノの鍵を押したときに、その鍵の動作をハンマーヘッドに伝える。演奏者がピアノの鍵を押すとその動きはハンマーヘッドに伝えられ、ハンマーヘッドは弦に向かって進んで結果的に弦を叩く。それによりピアノは発音するのである。ピアノのアクションは長い歴史の中で様々な目的のために改良されてきているが、ハンマーヘッドが弦を叩くことにより発音するというピアノの発音の原理は、ピアノの長い歴史の中でも変わっていない。
ピアノには、多数の弦がピアノで発音させる音階の数だけ横並びで設けられる。鍵、ハンマーヘッド、及びそれらを繋ぐアクションはそれぞれ、各弦を打つために、各弦と対応付けられ、弦と同数だけ、横並びの状態でピアノに設けられる。基本的にはハンマーヘッドは、両隣のものと同じ間隔を空けた状態で、横並びに配列される。
【０００３】
ピアノは、グランドピアノとアップライトピアノに大別することができる。これらの特性には一長一短があるものの、設置に要するスペースが狭い、重量が軽い、値段が安いという点ではアップライトピアノが優れており、普及の台数という点ではアップライトピアノがグランドピアノを凌駕している。
とはいえ、鍵の連打性、タッチ感、音などについては一般に、アップライトピアノはグランドピアノに劣るとされており、その点についてはアップライトピアノには未だに改良の余地があるというのがピアノ業界における一般的な理解である。
【０００４】
ところで、本願発明者は、アップライトピアノにおいても、グランドピアノにおいても、多数の鍵のうちの幾つかの特定の鍵を押すことによって発音される音についてその音が特に劣るということに気付いた。
【発明の概要】
【発明が解決しようとする課題】
【０００５】
アップライトピアノにも、グランドピアノにもセクションと呼ばれる概念がある。
セクションとは、一連の連続する鍵（或いは、鍵、及びその鍵と関連付けられたハンマーヘッドを含むアクションと弦）の塊のことである。
例えば、アップライトピアノは、その背面に筐体の一部をなす筐体板を備えており、また、その筐体板の前方に筐体板を支持する柱を備えている。筐体板の幅方向の両端の柱はそれ程影響を与えないが、筐体板の中程に立てられた柱は、弦やアクションを配置するに当たって邪魔になる。したがって、その部分では、アクションの並びに影響が出る。
上述のように、アクションに含まれるハンマーヘッドは、両隣のものと同じ間隔を空けた状態で、横並びに配列されるというのが原則である。しかしながら、アクションの並びに影響が出る部分においては、ハンマーヘッドの間隔が大きく空く。その大きく空いた間隔で隔てられた２つのハンマーヘッドが、セクションの区切りとなる。つまり、ハンマーヘッドは正確には、大きく隙間の空いた部分をその間に幾つか挟みつつ、等間隔で連続して配列される。等間隔で連続して配列される一連のハンマーヘッド（或いは、等間隔で連続して配列される一連のハンマーヘッド、及びそれらハンマーヘッドが含まれるアクション、それらアクションと関連付けられた鍵と弦）が、１つのセクションを構成することになる。
他にもセクションが設けられる理由は存在する。上述したように、アップライトピアノは、多数の弦を有している。弦は、背面板の手前側に並列に張り渡される。弦は、一般的には、その長さを稼ぐために斜めに張り渡されている。一般的には、演奏者から見て向かって左側の低音部の所定本数の弦は右下がりに、向かって右側の高音部の残りの弦は左下がりに、それぞれ張り渡されている。右下がりの弦と左下がりの弦とはその下方で交差しており、右下がりの弦が演奏者側に位置するというのが、一般的な弦の配置である。このような弦の張り渡し方は、交差弦と呼ばれ、極普通のものであるが、交差弦を採用することにより、弦が交差する部分においてもアクションの並びに影響が生じ、その部分にもセクションの分かれ目が生じることが多い。
いずれにせよ、アップライトピアノには、アップライトピアノの大きさ等の事情にもよるが、３つから５つ程度のセクションが存在することが多い。
同様に、グランドピアノにおいても、複数のセクションが存在する。グランドピアノにおいても、例えば、補強用の梁や、交差弦の交差する部分においてセクションの分かれ目が生じる。グランドピアノにおけるセクションの数は、多くの場合４つから５つである。
【０００６】
アップライトピアノ及びグランドピアノにおいて特にその音が劣るのはセクションの境目に位置するハンマーヘッドに対応付けられた、セクションの境目の鍵を押したときに発音される音である。
これには本願発明者も気付いていたが、他の例えば調律師の中でもある程度知られていた。アップライトピアノにおいてもグランドピアノにおいても調律は必須であるが、どのようにアップライトピアノやグランドピアノを調律したとしてもセクションの境目の鍵を押したときに発音される音が安定せず調律師を悩ませるということが予てからある。
しかしながら、その原因については、今まで解明されることはなく、当然にその解消方法も提案されていない。
【０００７】
本願発明は、セクションの境目の鍵を押したときに発音される音が安定するようにピアノ及びそのアクションを改良することをその課題とする。
【課題を解決するための手段】
【０００８】
セクションの境目の鍵を押したときに発音される音が安定しない理由の少なくとも１つとなる事実が、本願発明者が行ったアップライトピアノのハンマーの超高速度撮影により判明した。
その事実は以下のようなものである。
グランドピアノでもそうであるが、アップライトピアノのアクションに含まれるハンマーは、ハンマーヘッドとハンマーヘッドに接続されたハンマーシャンクとを含んで構成されている。ハンマーシャンクはその基端を、回転可能とされているバットに接続されており、バットとともに回転するようになっている。ハンマーは、バットの回転の軸を中心として、予定されたある平面の中を回転する、と従来は考えられていた。
しかし、事実は異なった。セクションの境目に存在するハンマーヘッドを除くハンマーヘッドは、確かに上述の予定されたある平面の中を回転した。しかしながら、その片側のハンマーヘッドとは僅かな隙間を空けて隣接するものの、その反対側のハンマーヘッドとは大きな隙間が空いている、セクションの境目に存在するハンマーヘッドは、特にハンマーヘッドが弦に向かって進行するときにおいて、上述した予定されたある平面から外れ、それとの間に大きな隙間が空いているハンマーヘッドの側にその進行方向を反らすことがある、という事実を本願発明者は確認した。
ハンマーの弦に対する打突は、まさにピアノの発音に関する。ハンマーの幅方向の中心で弦を叩けるかどうかは、ピアノの発音の良否に強く関係する。そしてもちろん、弦に向かって進むハンマーが理想的な軌道を描けないというのは、ピアノの発音が悪くなる場合があるということを意味する。例えばピアノの弦の中には、横並びの数本（例えば３本）の細い弦をまとめて１本の弦として扱い、それら数本の弦をまとめて１つのハンマーで叩くようになっているものが存在するが、そのような弦においてはハンマーが本来の軌道から横にずれると、まとめて叩かれる数本の弦のうちの例えば１本が、弦にハンマーが到達してもハンマーにより予定されたようには叩かれないということが生じ得る。
つまり、セクションの境目に位置するハンマーヘッドの軌道の不安定さが、セクションの境目の鍵を押したときに発音される音が不安定になる原因の少なくとも１つであろうと推測された。
ただし、セクションの境目に位置するハンマーヘッドの軌道が、それとの間に大きな隙間が空いているハンマーヘッドの側に反れる理由は、現在のところ詳しくは解っていない。しかしながら、その理由を、本願発明者は以下のように推測している。航空機の翼状の形状である翼形状の断面形状を持つ物体が地面付近を移動する際、その物体と地面との間の空気流の変化によってその物体が影響を受けるという現象が知られている。例えば、航空機は地面に近づくに連れて大きな揚力を受ける。その影響が上述のごとく地面との間で生じる場合にはその現象は、地面効果と呼ばれ、その影響が水面との間で生じる場合にはその現象は、水面効果と呼ばれる。総称して表面効果とも呼ばれることがあるこの現象と同様のことがアップライトピアノのハンマーヘッドでも生じているのではないかと本願発明者は考えている。
アップライトピアノのハンマーヘッドの断面形状は翼形状であるとまではいえないが、ハンマーウッドと、ハンマーウッドの前端（弦を打つ側）を覆うハンマーフェルトとにより構成されるハンマーヘッドは、ハンマーフェルトで覆われた部分が比較的広い面積を有する、全体として略一定の厚さの板状の形状となっている。なお、本願では、ハンマーウッドとハンマーフェルトを併せたものを、「ハンマーヘッド」と定義する。したがって、その板状のハンマーヘッドは、その断面形状が翼形状である場合ほどは大きくないかもしれないが、表面効果と同様の影響を他の隣接するハンマーヘッドから受けている可能性がある。アップライトピアノのハンマーヘッドが弦に向かって進む速さは非常に早いということも、その可能性の存在を肯定する。
つまり、それとの間に僅かな隙間しかないその片側のハンマーヘッドのセクションの境目に位置するハンマーヘッドに対向する側の面との間では、セクションの境目に位置するハンマーヘッドは比較的大きな表面効果の影響を受ける一方で、それとの間に大きな隙間がある他方のハンマーヘッドのセクションの境目に位置するハンマーヘッドに対向する側の面との間では、セクションの境目に位置するハンマーヘッドは表面効果の影響を受けない、というような現象が生じている可能性が高い。
そして、これと同様の現象が、グランドピアノのセクションの境目に位置するハンマーにおいても生じていると、本願出願人は考えている。
本願発明者は、かかる表面効果による影響の左右の不均衡を是正することにより、ハンマーヘッドが弦に向かって進行するときにおいて予定されたある平面から外れ、それとの間に大きな隙間が空いているハンマーヘッドの側にその進行方向を反らすという現象を防ぐことが可能となり、ひいてはセクションの境目の鍵を押したときに発音される音が安定するようにアップライトピアノ、グランドピアノ及びそれらのアクションを改良することが可能となる、と考えた。
以下に説明する発明は、本願発明者が得たこの知見に基づくものである。
【０００９】
以上の知見に基づき本願発明者が提案するのは、鍵、ハンマーヘッドを含むアクション、及び弦が複数のセクションに分けられているピアノのアクションである。ここでいうピアノには、アップライトピアノとグランドピアノとの双方が含まれる。
かかるアクションには、前記セクションの端に位置するハンマーヘッドのうちの少なくとも１つである対象ハンマーヘッドの外側に、前記対象ハンマーヘッドが属する前記セクションの前記対象ハンマーとその内側に位置するハンマーヘッドとの間の隙間に対応する隙間を空けて、前記ハンマーヘッドを側面視した場合の形状、大きさと略等しい形状、大きさを有する面である対向面を有するダミー部材が、側面視した場合に前記対向面が前記対象ハンマーヘッドの外側面とその向き及び位置が対応するようにして、且つその対向面が前記対象ハンマーヘッドの外側面と平行になるようにして、配されている。
セクションの境界に位置するハンマーヘッドは、簡単に言うと、その左右の一方側の面には他のハンマーヘッドが近接し、その他方側の面には他のハンマーヘッドが近接していないという状態にある。その不均衡により、セクションの境界に位置するハンマーヘッドは、上記一方側の他のハンマーヘッドのセクションの境界に位置するハンマーヘッドと対向する面からのみ大きな表面効果の影響を受けることになる、というのがセクションの境界に位置するハンマーヘッドの軌道が安定しない理由であると本願発明者は考える。
本願発明は、要するに、上述の不均衡をなくすことにより、上記一方側の他のハンマーヘッドのセクションの境界に位置するハンマーヘッドと対向する面からセクションの境界に位置するハンマーヘッドが受ける表面効果をなくす、或いはセクションの境界に位置するハンマーヘッドがその左右両側から受ける表面効果の影響を均衡させることにより、セクションの境界に位置するハンマーヘッドの軌道を安定させようとするものである。そのために、本願発明では、セクションの端に位置するハンマーヘッドのうちの少なくとも１つである対象ハンマーヘッドの外側に、対向面を有するダミー部材を設けることとしている。このダミー部材が有する対向面は、ハンマーヘッドを側面視した場合の形状、大きさと略等しい形状、大きさを有する面である。また、ダミー部材の対向面は、対象ハンマーヘッドの外側面と側面視した場合にその向き及び位置が対応するように、且つその対向面が対象ハンマーヘッドの外側面と平行になるようにされる。
これにより、セクションの端にあるハンマーヘッドは、その内側（本願では、セクションの端にあるハンマーヘッドが属するセクションの中心方向をセクションの端に位置するハンマーヘッドの「内側」と定義する。）の面には、その１つ内側に位置するハンマーヘッドの外側面が、またその外側の面には、ダミー部材の対向面がそれぞれ対向して臨むことになる。しかも、その１つ内側に位置するハンマーヘッドの外側面と、ダミー部材の対向面とは、セクションの端に位置するハンマーヘッドに対して略対称の関係となる。
したがって、この発明によれば、セクションの端に位置するハンマーヘッドが弦に向かって進行する場合、このハンマーヘッドの内側面が１つ内側に位置するハンマーヘッドの外側面から受ける表面効果と、このハンマーヘッドの外側面がダミー部材の対向面から受ける表面効果は、セクションの端にないハンマーヘッドの場合と同様に、均衡することになる。つまり、この発明によるピアノのアクションによれば、セクションの境目の鍵のうちの少なくとも１つを押したときに発音される音が安定するという効果を得られるようになる。
本願発明は、既存の例えば販売済みのピアノに対してダミー部材を取付けるようにして実施することもできる。この場合本願発明は、以下のようなアクションの改修方法として捉えることが可能である。かかる改修方法により得られる効果は、上述のアクションにより得られる効果と同様である。
その改修方法の一例は、鍵、ハンマーヘッドを含むアクション、及び弦が複数のセクションに分けられているピアノのアクションの改修方法であって、前記セクションの端に位置するハンマーヘッドのうちの少なくとも１つである対象ハンマーヘッドの外側に、前記対象ハンマーヘッドが属する前記セクションの前記対象ハンマーヘッドとその内側に位置するハンマーヘッドとの間の隙間に対応する隙間を空けて、前記ハンマーヘッドを側面視した場合の形状、大きさと略等しい形状、大きさを有する面である対向面を有するダミー部材を、側面視した場合に前記対向面が前記対象ハンマーヘッドの外側面とその向き及び位置が対応するようにして、且つその対向面が前記対象ハンマーヘッドの外側面と平行になるようにして、取付ける、アクションの改修方法である。
【００１０】
なお、本願発明においては、隣接してダミー部材が置かれる対象ハンマーヘッドは、セクションの境界に位置するハンマーヘッドの少なくとも１つではなく、セクションの端に位置するハンマーヘッドの少なくとも１つである。セクションの端のハンマーヘッドには、セクションの境界に位置するハンマーヘッドも含まれるが、複数のセクションのうちの最も外側に位置するセクション（例えば、３つのセクションが存在する場合であれば、中央のセクションを除いた２つのセクション）の最も外側のハンマーヘッド（つまり、ピアノのアクションに含まれる一連の多数のハンマーヘッドのうち両外側に位置する２つのハンマーヘッド）も含まれ、本願発明では、これらを併せたものを、それらに隣接してダミー部材が置かれることのある対象ハンマーヘッドとして扱う。ピアノのアクションに含まれる一連の多数のハンマーヘッドのうち両外側に位置する２つのハンマーヘッドにおいても、その内側には他のハンマーヘッドが存在するが、その外側には他のハンマーヘッドが存在しないという、セクションの境界に位置するハンマーヘッドと同じ状況が生じ得るからである。
本願発明は、セクションの端に位置するハンマーヘッドのうちの少なくとも１つである対象ハンマーヘッドの外側にダミー部材を設けることを提案するが、対象ハンマーヘッドを複数としそれらの外側に、或いはセクションの境界に位置するすべてのハンマーヘッドを対象ハンマーヘッドとしそれらの外側に、又はセクションの端に位置するすべてのハンマーヘッドを対象ハンマーヘッドとしそれらの外側に、ダミー部材を設けることももちろん排除しない。対象ハンマーヘッドを多くすれば多くする程、それにより得られる効果は優れたものとなる。
例えば、前記対象ハンマーヘッドは、複数の前記セクションのうちの隣接するセクションの境界に位置するすべての前記ハンマーヘッドであってもよい。また、前記対象ハンマーヘッドは、複数の前記セクションのうちの最も外側に位置する２つのセクションの中で外側の端に位置する２つの前記ハンマーヘッドであってもよい。更には、対象ハンマーヘッドは、すべてのセクションの端に位置するすべてのハンマーヘッドでも良い。
【００１１】
本願発明では、ダミー部材の対向面は、ハンマーヘッドを側面視した場合の形状、大きさと略等しい形状、大きさとされる。ここで「略」という文言が持つ意味は以下のようなものである。
そもそもピアノに多数含まれるハンマーヘッドの大きさ、より正確にはハンマーウッドに取付けられるハンマーフェルトの大きさは、演奏者から見て左側の低音部程大きく、右側の高音部程小さくなるようになっているのが通常である。したがって、例えばコスト的な要請から、一種類のダミー部材しか製造しない場合には、ダミー部材はピアノのアクションに含まれるすべてのハンマーヘッドとその形状、大きさが完全に一致することはない。ダミー部材の対向面は、それが近接して配される対象ハンマーヘッドの形状、大きさと完全に一致する必要はなく、また、必ずしもピアノに含まれるいずれかのハンマーヘッドの側面視した場合の形状、大きさと完全に一致する必要もない。それが、上述した「略」の意味である。
通常のピアノでも、隣合うハンマーヘッドの大きさは異なるにもかかわらず、セクションの端以外に位置するハンマーヘッドでは、表面効果に基づくであろう音の不安定さは生じない。したがって、本願発明の効果が得られる限り、「ダミー部材の対向面は、ハンマーヘッドを側面視した場合の形状、大きさと略等しい形状、大きさとされる」という要件は充足されるものとする。
【００１２】
ダミー部材は、上述の如き対向面を備えることが必須であり、それが満たされるのであれば、例えば、板であってもよい。この板の厚さは、例えば、ハンマーヘッドの左右方向の厚さよりも薄くて良い。
前記ダミー部材は、前記ハンマーヘッドと同様に構成され、且ついずれの鍵を押しても動かないようにされていてもよい。つまり、ダミー部材は、動かないハンマーヘッドとすることもできる。ダミーハンマーヘッドとも呼ぶべきこのようなダミー部材を用いることによれば、そもそもピアノの部品として大量に安価に生産されているハンマーヘッドをダミー部材に流用できるようになるので便利である。
【００１３】
ダミー部材は、ピアノの中の適当な部分に固定することができる。
ダミー部材は例えば、アップライトピアノの場合であれば、ハンマーストップレールに固定することができ、或いはセンターレールに固定することができる。ダミー部材のハンマーストップレール、センターレール、或いはアップライトピアノの適当な部分への固定は、ダミー部材を直接固定するに限らず、他の部材を介して間接的に固定する場合も含む。
ダミー部材は例えば、グランドピアノの場合であれば、ハンマーシャンクレールに固定することができ、或いはハンマーストップレールに固定することができる。ダミー部材のハンマーシャンクレール、ハンマーストップレール、或いはグランドピアノの適当な部分への固定は、ダミー部材を直接固定するに限らず、他の部材を介して間接的に固定する場合も含む。
【００１４】
本願発明者は、以上のアクションと同様の効果を生じるものとして、以上で説明したいずれかのアクションを含むピアノをも、本願発明の一態様として提案する。
【図面の簡単な説明】
【００１５】
【図１】本願発明の一実施形態におけるアップライトピアノの斜視図。
【図２】図１に示したアップライトピアノに含まれるアクションを示す側面図。
【図３】図１に示したアップライトピアノに含まれるアクションを示す側面図。
【図４】図１に示したアップライトピアノに含まれる柱の周辺のアクションを拡大して示す斜視図。
【図５】従来のアップライトピアノに含まれるアクションにおけるハンマーヘッドのセクションの境界部分を拡大して示す斜視図。
【図６】図１に示したアップライトピアノに含まれるアクションの図５に示した部分と同じ部分を示す斜視図。
【図７】図１に示したアップライトピアノに含まれるダミーハンマーヘッドのアップライトピアノへの固定方法の一例を示す側面図。
【図８】図１に示したアップライトピアノに含まれるダミーハンマーヘッドのアップライトピアノへの固定方法の他の例を示す側面図。
【図９】図１に示したアップライトピアノに取付けられるダミー板のアップライトピアノへの取付け状態の一例を示す背面図。
【図１０】グランドピアノに含まれるアクションを示す側面図。
【図１１】グランドピアノに含まれるアクションを示す側面図。
【図１２】グランドピアノに含まれるダミーハンマーヘッドのグランドピアノへの固定方法の一例を示す側面図。
【図１３】グランドピアノに含まれるダミーハンマーヘッドのグランドピアノへの固定方法の他の例を示す側面図。
【発明を実施するための形態】
【００１６】
以下、本発明の好ましい第１及び第２実施形態を、図面を参照しながら詳細に説明する。各実施形態において、共通する説明は場合により省略するものとする。
【００１７】
≪第１実施形態≫
この実施形態では、アップライトピアノについて説明する。
もっともこの実施形態におけるアップライトピアノは、後述するダミー部材及びそれをアップライトピアノに固定するための構成を除いてすべて、従前のアップライトピアノとその構成を同じくする。
それ故、本来であれば、上述の従前のアップライトピアノとの相違点についての構成を除いて、アップライトピアノの構成について説明を行うまでもないが、一応アップライトピアノの全体的な構成についても説明を行う。
【００１８】
以下、本発明の一実施形態であるアップライトピアノの構成を説明していく。なお、以下の説明において、「時計回り」あるいは「反時計回り」というときは、図２から図３における時計回りあるいは反時計回りのことをいうものとする。
また、この実施形態の説明において、前後の概念はアップライトピアノに向かった演奏者の頭部の前後に倣うものとする。
【００１９】
図１に、アップライトピアノの概観を表した斜視図を示す。この図においては、アップライトピアノのアクションを隠すための化粧板であるいわゆる前パネルが外されている。
よく知られているように、アップライトピアノは横並びに配列された多数の鍵１を備えている。
また、アップライトピアノは、多数の弦９０を有している。鍵１と弦９０の数は同数である。多数の弦９０は、その長さを稼ぐために斜めに張り渡されている。向かって左側の所定本数の弦９０は図１で向かって右下がりに、向かって右側の残りの弦９０は図１で向かって左下がりに、それぞれ張り渡されている。右下がりの弦９０と左下がりの弦９０とはその下方で交差しており、右下がりの弦９０が図１における手前側に位置している。このような弦９０の張り渡し方は、交差弦と呼ばれ、極普通のものである。
図中３５がハンマーヘッドである。ハンマーヘッド３５は、鍵１及び弦９０と同数であり、横並びに配列されている。
左から順にならぶハンマーヘッド３５、鍵１、及び弦９０は、左からの順番が同じもの同士で対応付けられている。例えば、一番左の鍵１を押すと一番左のハンマーヘッド３５が一番左の弦９０を打ち、左から二番目の鍵１を押すと左から二番目のハンマーヘッド３５が左から二番目の弦９０を打つが如きである。
【００２０】
アップライトピアノの図１における一番奥側にアップライトピアノの筐体の一部をなす筐体板１０１が存在している。筐体板１０１の演奏者側つまり手前側には響板が配置されており、響板の後面に弦９０が取付けられている。
筐体板１０１の後側には、筐体板１０１を支持する柱１０２が立てられている（図１、図４）。図１に示したように、左右の弦９０が交差する部分では、一連に並ぶハンマーヘッド３５の間に隙間ができている。また、図４に示したように、柱１０２が存在する部分でも、ハンマーヘッド３５の間に隙間ができている。これら２つがこのアップライトピアノのセクションＳ（セクションＳ１〜Ｓ３を併せて、セクションＳと称する。）の境界となる。このアップライトピアノは結局、３つのセクションＳ１〜Ｓ３を備えている。
柱１０２や弦９０の交差などの事情によりセクションＳは生じ、多くのアップライトピアノではその数は３から５である。この実施形態ではセクションＳは３つであるものとするが、これはこの限りではない。
各セクションＳに属するハンマーヘッド３５の隣接するハンマーヘッド３５の内側面と外側面は、すべて互いに平行である。
また、３つのセクションＳのうち、セクションＳ１に属するハンマーヘッド３５のみ、その幅方向の中心の平面が、図１中左方向に傾いている。これはハンマーヘッド３５の配置のスペースを取るための工夫であり、最近のアップライトピアノの大半がこのような構成を採用している。
【００２１】
図２〜３にアップライトピアノのアクション７を示す。これら各図では代表して、一組の鍵１及び弦９０と、それらを繋ぐアクション７（ハンマーヘッド３５はアクションに含まれる。）のみを図示する。
【００２２】
鍵１は、その中央部が、筬３に立設されたバランスピン（図示せず）に、回転可能に支持されている。鍵１の図２等でその記載が省略されている、図２等の右側外に位置する記載の省略された後端を演奏者が押し込むと、鍵１の図２等で左側に位置する前端が、鍵１の全体がバランスピンを軸として行うシーソー運動によって持ち上げられるようになっている。
筬３の左右端部にはブラケット（図示せず）がそれぞれ形成されている。左右のこれらのブラケットの間には、センターレール４が架け渡されて固定されている。
鍵１の前端部上方にアクション７が形成されている。アクション７は、弦９０を打つための中心的な部材として、ウィッペン８、ジャック１８、バット２５、及びハンマー３２を有する。
【００２３】
ウィッペン８は、アップライトピアノの前後方向に伸びる部材であり、鍵１の前端が持ち上げられたときにその全体が持ち上げられるようになっている。ジャック１８は、側面視略Ｌ字型をした部材であり、ウィッペン８が持ち上げられたときに、それと一緒に上方に移動するようになっている。ウィッペン８の上端の後述する突き上げ部が、バット２５の後述する被突き上げ部を下から突き上げることにより、バット２５が回転するようになっており、バット２５が回転することにより、バット２５にその基端が固定されているハンマー３２が回転する、というのがハンマー３２が回転する理屈の要点である。
以下、詳述する。
【００２４】
上述したセンターレール４の下側には、ウィッペンフレンジ１０が設けられている。ウィッペン８はその前端寄りの所定の部位で、ウィッペンフレンジ１０に回転可能に軸支されている。ウィッペン８の前端部にはスプーン９が立設されている。
ウィッペン８はウィッペンフレンジ１０よりも後側におけるその下側にヒール１１を有しており、また、その上側にジャックフレンジ１２を有している。ジャックフレンジ１２は、ウィッペン８に対して回転可能として、ウィッペン８とジャック１８とを接続するためのものである。ウィッペン８のヒール１１は、鍵１の前端に固定されたキャプスタンボタン２を介して、鍵１の前端部の上に載っている。これにより、鍵１が持ち上げられたときに、キャプスタンボタン２を介してウィッペン８が持ち上げられるようになっている。
ウィッペン８の後端部には、バックチェックワイヤ１４が立設されており、その先端にバックチェック１５が取り付けられている。
また、ウィッペン８の更に後端部には、ブライドルワイヤ７１が立設されている。ブライドルワイヤ７１と、後述するキャッチャーとの間には、例えば紐又は帯であるブライドルテープ７２が、初期状態ではやや弛んだ状態で張り渡されている。
【００２５】
ジャック１８は、後方に突出するジャックテール１９と、ジャックテール１９の前端から上方向に延びる突き上げ部２０とを有し、ジャックテール１９と突き上げ部２０とが側面視で略Ｌ字型をなすようにされている。ジャックテール１９と突き上げ部２０とがなす角部において、ジャック１８はジャックフレンジ１２に回転可能に軸止されている。ジャックテール１９の後側の端部と、ウィッペン８のジャックフレンジ１２よりも後側の部分との間に、それらにその上端と下端が接続された状態で、ジャックスプリング１３が設けられている。
ジャックスプリング１３は、ジャックテール１９を上方に付勢することにより、ジャック１８に対して反時計回り方向に回転する力を加えるバネであり、通常はコイルスプリングである。
【００２６】
ジャック１８のジャックテール１９の上方に、レギュレーティングボタン４７が設けられている。レギュレーティングボタン４７は、レギュレーティングレール４８に螺合するレギュレーティングスクリュー４９の先端に支持されている。レギュレーティングレール４８は、アップライトピアノの幅方向の全長に渡って伸びる長尺の部材である。レギュレーティングレール４８はフォークスクリュー５０によりセンターレール４に固定的に取り付けられている。
【００２７】
ジャック１８の突き上げ部２０の後方に、アップライトピアノの幅方向の全長に渡って伸びる長尺の部材であるジャックストップレール５３がある。ジャックストップレール５３は、ジャックストップレールスクリュー５４によりセンターレール４に固定して取り付けられている。ジャックストップレール５３は、ウィッペン８が上昇するときに時計回りに回転するジャック１８の突き上げ部２０を受け止めることによりジャック１８の回転を中止させるものである。
【００２８】
ハンマー３２は、弦９０を打つためのものである。ハンマー３２の構成は、従来のハンマー３２と同じで良く、この実施形態ではそうされている。ハンマー３２は、これには限られないがこの実施形態では、ハンマーフェルト３６を除いて木製である。以下ハンマー３２の構成について簡単に述べる。
ハンマー３２は、ハンマーシャンク３３とハンマーウッド３４と、ハンマーフェルト３６とを有している。ハンマーウッド３４は、ハンマーシャンク３３の上端から前方に延びる部材である。ハンマーフェルト３６は直接弦９０を打突する部材であり、ハンマーウッド３４の前端の上下を跨ぐようにしてハンマーウッド３４に取付けられている。ハンマーウッド３４とハンマーフェルト３６とを併せたものがハンマーヘッド３５である。
【００２９】
棒状体、より詳細にはこれには限られないがこの実施形態では断面円形の棒状体であるハンマーシャンク３３の基端は、バット２５に接続されている。バット２５は、その前側面の下の部分で、センターレール４の後側上部に設けられたバットフレンジ２６に回転可能に軸止されている。これによりバット２５は、回転可能となり、バット２５に接続されたハンマーシャンク３３を含むハンマー３２も回転可能となっている。バット２５は、その下側面に被突き上げ部２７を有している。被突き上げ部２７は、ジャック１８が上方向に移動したときに、ジャック１８の突き上げ部２０の上端によりその下側から突き上げられる部分である。ジャック１８の突き上げ部２０で被突き上げ２７を突き上げられることにより、バット２５は反時計回りに回転するようになっており、それに伴って回転するハンマー３２のハンマーヘッド３５が弦９０を打つようにされている。
バット２５の被突き上げ部２７には、革製のスキン７５が貼られている。バット２５の後側面の上部には、キャッチャーシャンク２８を介してキャッチャー２９が取り付けられている。キャッチャー２９は、上述したバックチェック１５との組合せにより、バット２５の回転を止めるものである。バット２５が初期位置にあるときには、キャッチャー２９はバックチェック１５から離れており、バット２５がジャック１８に突き上げられて反時計回りに回転し、それと同時にウィッペン８の後端が反時計回りに回転すると、キャッチャー２９はバックチェック１５に捕らえられる。その後ウィッペン８の全体が時計回りに回転しつつ下降することにより、その後端が時計回りに回転しながら大きく下がると、バックチェック１５に捕らえられたキャッチャー２９は、素早くバックチェック１５から離れて再び回転可能となるようになっている。バット２５の後側面のうちキャッチャーシャンク２８の付け根より下にある部分にも、例えば革製のスキン７６が貼られている。すなわち、バット２５において、被突き上げ部２７よりも後方側かつ上方側にある面にスキン７６が貼られている。スキン７５の後端とスキン７６の下端は連続しており、スキン７５とスキン７６とは結果として一体となっている。
バット２５の前側の面には、バットスプリング２５Ａが設けられている。バットスプリング２５Ａは、バット２５に対して常に、時計回りの力を与えるためのバネである。バットスプリング２５Ａからの力により、弦９０に向かってハンマー３２が回転するに際してハンマー３２とともに反時計回りに回転したバット２５は素早く元の位置に復帰するようになっている。
【００３０】
アクション７は、またダンパー３９を備えている。ダンパー３９は、弦９０の振動を静止するための機構である。
ダンパー３９は、ダンパーレバー４０、ダンパーワイヤー４３、ダンパーヘッド４４を有する。
ダンパーレバー４０は、その中央部で、センターレール４の前側上部に固定したダンパーフレンジ４１に回転可能に軸止されている。ダンパーレバー４０は、その後側面下端部が、スプーン９の先端と対向している。ダンパーヘッド４４は、ダンパーワイヤー４３を介してダンパーレバー４０の上端に取り付けられている。ダンパーヘッド４４は、ダンパーレバー４０に取り付けられたダンパースプリング４２から力を受けて弦９０に圧接するようになっている。
【００３１】
ハンマーシャンク３３の後方にハンマーストップレール５５があり、ダンパーワイヤー４３の後方にダンパーストップレール５６がある。ハンマーストップレール５５とダンパーストップレール５６は、アップライトピアノの左右に存在する前述のブラケットの間にそれぞれ架け渡されて固定されている。
【００３２】
次に、このアップライトピアノの使用方法、及び動作について説明する。
先ず、鍵１が休止状態にある場合について説明する（図２を参照）。鍵１が休止状態にある場合、鍵１の後端は最も上昇した位置にあり、鍵１の前端は最も下降した位置にある。そして、ウィッペン８も最も下降した位置にある。
ジャック１８の突き上げ部２０の突端は、バット２５の被突き上げ部２７の下に入って係合している。ジャックテール１９はレギュレーティングボタン４７から離れている。突き上げ部２０とジャックストップレール５３との間は離れている。
またこのとき、バット２５と接続されたキャッチャー２９は、最も下降した位置にあり、キャッチャー２９はバックチェック１５から離れている。ハンマーシャンク３３はハンマーストップレール５５に接した状態となっており、ハンマーヘッド３５及びハンマーウッド３４は弦９０から最も離れた位置にある。また、ダンパーヘッド４４はダンパースプリング４２の力により弦９０に圧接している。
【００３３】
次に、演奏者が鍵１を押鍵し、鍵１の後端部が休止状態の位置から最も押し下げられた位置まで下降する場合について説明する（図３を参照）。
演奏者が鍵１を下に押すと、鍵１が時計回りの方向に回転し、鍵１の前端部が上昇する。そうすると鍵１の前端部が、キャプスタンボタン２を介してウィッペン８のヒール１１を突き上げ、ウィッペン８がウィッペンフレンジ１０を中心として反時計回りの方向に回転しつつ上昇する。
ウィッペン８が回転を開始すると、直ちに、ウィッペン８の後端に設けられたスプーン９がダンパーレバー４０の下端を前方に押し、ダンパーレバー４０がダンパーフレンジ４１を中心として時計回りの方向に回転するのに伴って、ダンパーヘッド４４が弦９０から離れる。これにより、弦９０は振動できる状態となる。
ウィッペン８の回転と上昇に伴って、ジャック１８がウィッペン８と共に上昇する。そしてジャック１８が上昇すると、ジャック１８の突き上げ部２０の上端が、バット２５の被突き上げ部２７を突き上げる。
【００３４】
突き上げ部２０の突端が被突き上げ部２７を突き上げた後も、ウィッペン８は上昇と反時計回りの回転とをし続ける。突き上げ部２０の突端が被突き上げ部２７を突き上げた後に、ジャックテール１９がレギュレーティングボタン４７に当たる。その後も、ウィッペン８は回転と上昇を続ける。そうすると、レギュレーティングボタン４７がジャックテール１９を上から押さえるので、ジャック１８がジャックフレンジ１２を中心として時計回りの方向に回転し、突き上げ部２０の突端が被突き上げ部２７の下から後方に離脱し、突き上げ部２０と被突き上げ部２７との係合が解除される。これをレットオフという。レットオフした突き上げ部２０は、ジャックストップレール５３に当接し、その回転を止める。
【００３５】
バット２５は、その被突き上げ部２７をジャック１８の突き上げ部２０によって突き上げられた反動により、バットフレンジ２６を中心として反時計回りの方向に回転を開始する。それに伴い、バット２５と接続された、ハンマー３２が反時計回りの方向に回転する。ハンマー３２が回転すると、ハンマーヘッド３５は弦９０に向かって進む。そして、ハンマーヘッド３５は弦９０を打つ。弦９０は、ハンマーヘッド３５のハンマーフェルト３６が衝突して振動することにより、音を発する。
【００３６】
ハンマーウッド３４が弦９０を打った後、ハンマー３２は反転して時計回りの方向に回転する。そして、キャッチャー２９がバックチェック１５に捕まり、ハンマー３２は停止する。このとき、鍵１の後端は休止状態の位置から最も下降しており、鍵１の前端は休止状態の位置から最も上昇している。また、突き上げ部２０の突端は、被突き上げ部２７よりも上方にあり、スキン７６の後側に位置している。
【００３７】
次に、演奏者が鍵１を離鍵し、鍵１の後端部が最も押し下げられた位置から上昇する場合について説明する。
演奏者が鍵１を離鍵すると、鍵１が反時計回りの方向に回転し、鍵１の前端部が下降を開始する。鍵１の前端部が下降すると、ウィッペン８が、時計回りの方向に回転しつつ下降する。ウィッペン８が下降を開始すると、直ちに、キャッチャー２９がバックチェック１５から離れ、ハンマー３２は回転可能になる。
【００３８】
鍵１の後端部が最も押し下げられた位置から休止状態の位置に向かってある程度戻ると、ジャックテール１９はレギュレーティングボタン４７に接するだけとなり、レギュレーティングボタン４７がジャックテール１９を上から押さえつける力がなくなる。そうすると、元々常にジャック１８に対して反時計回りの力を与えているのに加えて、その撓みが大きくなったジャックスプリング１３は、ジャック１８に反時計回りで回転するような力をより大きく与える。これによりジャック１８は、再びバット２５の被突き上げ部２７の下へと戻っていく。
他方、ハンマー３２及びそれと接続されたバット２５はバットスプリング２５Ａがバット２５に与える力と、ブライドルテープ７２に入った張力によりキャッチャー２９が引き戻される力とにより、時計回りに回転し元の位置に戻る。ハンマー３２及びバット２５が元の位置に戻るのと前後して、バット２５の被突き上げ部２７の下に、ジャック１８の突き上げ部２０が戻って、それらが再係合する。
【００３９】
突き上げ部２０の突端が被突き上げ部２７の下に入り、ジャック１８とバット２５が係合すると、演奏者は、離鍵した鍵１を再び押鍵し、ウィッペン８を介して、突き上げ部２０により被突き上げ部２７を突き上げることができる。
つまり、同じ鍵１の後端を押すことにより再度音を出せる状態となる。
【００４０】
以上説明したのは、極普通のアップライトピアノの構成であり、その使用方法及び動作である。
この実施形態のアップライトピアノは、上述した通り、ダミー部材を備えている。それについて説明する。なお、以下に説明するダミー部材は、アップライトピアノに当初から（例えば販売前から）取付けられていても良いし、完成品の（例えば販売済みの）アップライトピアノに対して後付けされたものであっても良い。
図５にアップライトピアノのアクションにおける、ハンマーヘッド３５におけるセクションの分かれ目の部分を拡大した斜視図を示す。これは、この実施形態のアップライトピアノではなく、従前の極普通のアップライトピアノのハンマーヘッド３５である。
図５中左側に２つと半分程見えているハンマーヘッド３５が、上述したセクションＳ１に属するハンマーヘッドであり、図５中右側に４つと少々見えているハンマーヘッド３５が、上述したセクションＳ２に属するハンマーヘッドである。図５に示された範囲では、両セクションＳに含まれるハンマーヘッドのうち、セクションＳ１に属するハンマーヘッド３５の中で最も右にあるものが、セクションＳ１の端に位置するハンマーヘッド３５であり、セクションＳ２に属するハンマーヘッド３５の中で最も左にあるものが、セクションＳ２の端に位置するハンマーヘッド３５である、ということになる。
なお、図５に示された範囲には上述したように２つのセクションＳの端に位置するハンマーヘッド３５が存在したが、既に述べたようにこの実施形態には、３つのセクションＳが含まれている。そして、各セクションＳ１〜Ｓ３には端に位置するハンマーヘッド３５が２つずつ存在するから、この実施形態のアップライトピアノには、セクションＳの端に位置するハンマーヘッド３５が合計で６つ存在する。この実施形態では、図５に示されたセクションＳの端に位置する２つのハンマーヘッド３５に加えて、その他４つのセクションＳの端に位置するハンマーヘッド３５をも、それに近接させた状態でダミー部材が配置される、本願発明で言う対象ハンマーヘッド３５Ａであるものとする。もっとも、セクションＳの端に位置するハンマーヘッド３５のうち対象ハンマーヘッド３５Ａとすべきは、セクションＳの端に位置するハンマーヘッド３５のうちの少なくとも１つで足りる。例えば、セクションＳの境界に位置する４つのハンマーヘッド３５のみを、対象ハンマーヘッド３５Ａとすることもできるし、アップライトピアノの幅方向の両端に位置する最も外側の２つのハンマーヘッド３５のみを対象ハンマーヘッド３５Ａとすることも可能である。
【００４１】
次いで、この実施形態によるアップライトピアノのアクションにおける、図５で示された部分と同じ部分を図６に示す。図５と図６で異なるのは、図６には、セクションＳ１、Ｓ２の対象ハンマーヘッド３５Ａの外側にハンマーヘッド３５と同様の外観を呈しているダミーハンマーヘッド３５Ｘが配置されている、という点である。ダミーハンマーヘッド３５Ｘは本願でいうダミー部材の一例である。
ダミーハンマーヘッド３５Ｘは、いずれの鍵１を押しても動かないという点を除けば、外観だけでなく、その構成も対象ハンマーヘッド３５Ａを含むハンマーヘッド３５と同じであり、ハンマーヘッド３５のハンマーウッド３４と同じように構成されたダミーハンマーウッド３４Ｘ、及びハンマーヘッド３５のハンマーフェルト３６と同じように構成されたダミーハンマーフェルト３６Ｘとを含んで構成されている（図７、図８も参照）。
【００４２】
ダミーハンマーヘッド３５Ｘの厚さ方向の両側面を側面視した場合の形状、大きさは、ハンマーヘッド３５を側面視した場合（ハンマーヘッド３５を、その厚さ方向に垂直な方向から視た場合）の形状、大きさと略等しくなっている。ダミーハンマーヘッド３５Ｘの内側面が、本願で言う対向面に当たる。つまり、ダミーハンマーヘッド３５Ｘの内側面の形状、大きさは、ハンマーヘッド３５を側面視した場合の形状、大きさと略等しくなっている。
上述した理由で、ここで言う略等しいという意味は、それ程厳密ではない。もっとも理想的には、ダミーハンマーヘッド３５Ｘの両側面を側面視した場合の形状、大きさは、対象ハンマーヘッド３５Ａの１つ内側に位置するハンマーヘッド３５の側面視した場合の形状、大きさと等しくすべきである。その方が、対象ハンマーヘッド３５Ａが、対象ハンマーヘッド３５Ａの１つ内側に位置するハンマーヘッド３５の外側面からその内側面に対して受ける表面効果と、対象ハンマーヘッド３５Ａがダミーハンマーヘッド３５Ｘの内側面から受ける表面効果とがより均衡すると考えられるからである。
また、ダミーハンマーヘッド３５Ｘの内側面から対象ハンマーヘッド３５Ａの外側面までの間隔は、対象ハンマーヘッド３５Ａの１つ内側に位置するハンマーヘッド３５の外側面から対象ハンマーヘッド３５Ａの内側面までの間隔と等しくなるようになっている。
【００４３】
ダミーハンマーヘッド３５Ｘは、上述のような向き及び位置が維持されること、また、アップライトピアノのアクション等を構成する種々の部品と干渉しないこと、が条件とはなるが、それら条件が満足される限り、アップライトピアノの中に適当な方法で固定することができる。ダミーハンマーヘッド３５Ｘは、上述したように、鍵１と連動して動かないのであるから、どのようにしてアップライトピアノに固定するかということについての自由度は比較的高い。
ダミーハンマーヘッド３５Ｘは例えば、図７に示したように、ハンマーストップレール５５に対して固定することができる。この場合ダミーハンマーヘッド３５Ｘは、ハンマーヘッド３５に接続されるハンマーシャンク３３と同じように構成された、ハンマーシャンク３３よりもその長さが短いことのみをそれとの相違点とするダミーハンマーシャンク３３Ｘと接続され、ダミーハンマーシャンク３３Ｘを介して、ハンマーストップレール５５に接続される。ダミーハンマーシャンク３３Ｘのハンマーストップレール５５への固定はどのようにして行っても良いが、例えば、釘や木ねじを打込む、或いは接着剤を用いた接着を行うなどの周知技術を用いることにより、かかる固定を行える。もっとも、ダミーハンマーシャンク３３Ｘは、ハンマーストップレール５５とダミーハンマーヘッド３５Ｘの接続をなすことのみを目的としたものであるから、その長さ以外の構成においても、ハンマーシャンク３３と異なるようになっていても一向に構わない。
【００４４】
また、ダミーハンマーヘッド３５Ｘは、図８に示したように、センターレール４に対して固定することができる。この場合ダミーハンマーヘッド３５Ｘは、ハンマーヘッド３５に接続されるハンマーシャンク３３と同じように構成されたダミーハンマーシャンク３３Ｘと接続される。ダミーハンマーシャンク３３Ｘの基端は、ハンマーシャンク３３の基端に接続されるバット２５と同様に構成されるダミーバット２５Ｘに接続される。そして、このダミーバット２５Ｘがセンターレール４に対して固定される。ここで、ダミーバット２５Ｘは、センターレール４に対して固定され、回転はしないようになっている。
ダミーハンマーシャンク３３Ｘとダミーバット２５Ｘに必須の機能は、ダミーハンマーヘッド３５Ｘをセンターレール４に対して固定することのみである。したがって、ダミーハンマーシャンク３３Ｘ及びダミーバット２５Ｘは、ハンマーシャンク３３及びバット２５とその構成を一致させる必要はない。例えば、ダミーバット２５Ｘには、バット２５を回転させるために必要な機能をバット２５に与えるための種々の部品が存在しない。これには限られないが、この実施形態のダミーバット２５Ｘでは、例えば、バット２５が備えていたバットスプリング２５Ａやスキン７５が省略されている。
ダミーバット２５Ｘをセンターレール４に固定する方法は、例えば、ダミーハンマーシャンク３３Ｘをハンマーストップレール５５へ固定する方法に倣うことができる。
【００４５】
上述の如きダミーハンマーヘッド３５Ｘを配置すると、ダミーハンマーヘッド３５Ｘに隣接する対象ハンマーヘッド３５Ａは、対象ハンマーヘッド３５Ａの１つ内側に位置するハンマーヘッド３５の外側面からその内側面に対して受ける表面効果と、対象ハンマーヘッド３５Ａがダミーハンマーヘッド３５Ｘの内側面から受ける表面効果とが均衡した状態となる。かかる理由が定かなものか否かは保証の限りではないが、結果として、各セクションＳの端に位置するハンマーヘッド３５はいずれも、それに対応する鍵１を押したとき、予定されたある平面の中でより理想的な軌道に近い軌道で回転運動を行うことが可能となる。これにより、この実施形態によるアップライトピアノの音は、通常のアップライトピアノの場合に比して良くなる。
本願発明者は、この実施形態において説明したダミーハンマーヘッド３５Ｘをアップライトピアノに装着して、超高速度で、鍵１を押したときの状態を撮影してみた。そうすると、上述した通りの効果が確認された。
【００４６】
なお、以上の実施形態では、本願発明のダミー部材の一例として、ダミーハンマーヘッド３５Ｘを用いることとしていた。しかしながら、ダミーハンマーヘッド３５Ｘのうち、上述の効果に寄与しているのはその内側面のみである。したがって、ダミー部材は極端な話、ダミーハンマーヘッド３５Ｘの内側面のみを有していれば足りる。
例えば、ダミーハンマーヘッド３５Ｘは、本願発明のダミー部材の他の例となる、以下のようなダミー板３５Ｙに置換することが可能である（図９）。ダミー板３５Ｙは、木製、樹脂製、或いは金属製等の適当な材料で作られた単なる板である。この場合のダミー板３５Ｙは、その厚さがハンマーヘッド３５の厚さよりも薄く、且つその厚さはすべての部分で一定であるが、ダミー板３５Ｙはその左右方向の厚さが一定である必要もなく、また、その厚さがハンマーヘッド３５の厚さと同じである必要もない。ただし、ダミー板３５Ｙは、その側面視した場合の形状、大きさが、側面視した場合のハンマーヘッド３５の形状、大きさと略等しいものとされている。そのようなダミー板３５Ｙを、その内側面がダミーハンマーヘッド３５Ｘの内側面と同じになるようにして、対象ハンマーヘッド３５Ａに隣接して配置することによっても、上述のダミーハンマーヘッド３５Ｘをアップライトピアノに取付けた場合と同様の効果を得ることができる。
図９に示したように、ダミー板３５Ｙは、その内側面がそれと隣接する対象ハンマーヘッド３５Ａの外側面と平行になるようにして、且つそれを側面視した場合に、その内側面が対象ハンマーヘッド３５Ａの外側面とその向き及び位置が対応するようにして、配置される。ダミー板３５Ｙの内側面と、対象ハンマーヘッド３５Ａの外側面との間隔は、対象ハンマーヘッド３５Ａの１つ内側のハンマーヘッド３５の外側面と対象ハンマーヘッド３５Ａの内側面との間隔に等しい。
ダミー板３５Ｙのアップライトピアノへの固定方法は、ダミーハンマーヘッド３５Ｘのアップライトピアノへの固定方法に倣えば良い。
【００４７】
なお、この実施形態のダミーハンマーヘッド３５Ｘ又はダミー板３５Ｙは、既存の例えば販売済みの或いは店舗にあるアップライトピアノのアクションに追加することが可能である。そうすることにより、既存のアップライトピアノの音を向上させることができる。
【００４８】
≪第２実施形態≫
この実施形態では、グランドピアノについて説明する。
もっともこの実施形態におけるグランドピアノは、後述するダミー部材及びそれをグランドピアノに固定するための構成を除いてすべて、従前のグランドピアノとその構成を同じくする。
それ故、本来であれば、上述の従前のグランドピアノとの相違点についての構成を除いて、グランドピアノの構成について説明を行うまでもないが、一応グランドピアノの全体的な構成についても説明を行う。
【００４９】
この実施形態のグランドピアノはよく知られているように、横並びに配列された多数の鍵を備えている。各鍵は、それぞれが対応させられるアクションに含まれており、各鍵に対応付けられた弦をその鍵が属するアクションに含まれた後述するハンマーによって打つようにされている。
図示を省略するが、グランドピアノの弦には、これもよく知られているように交差弦の構成が採用されており、交差弦の弦が交差する部分や、グランドピアノの筐体の剛性を増すための梁等の存在により、鍵、アクション、及び弦は、第１実施形態のアップライトピアノの場合と同様にセクションに区切られている。セクションの数は、これには限られないが４又は５である。
【００５０】
図１０及び図１１に多数の鍵９１０及びそれに組合せられたアクション９０１のうちの一組の鍵９１０及びアクション９０１を示す。なお、以下の説明における前後の概念は、第１実施形態に倣う。
アクション９０１は、鍵９１０に加え、いずれも公知のウィッペン９２０、レペティションレバー９２３、ハンマー９３２を有する。
多数の鍵９１０は、筬９１１の上に左右方向に並んでいる。鍵９１０の中央部には穴９１３が穿たれており、そこにバランスピン９１２が挿入されている。鍵９１０は、バランスピン９１２を支点としてその前後方向にシーソー運動が可能な状態でバランスピン９１２により支持されている。鍵９１０のバランスピン９１２により支持されている部分よりも前側に、キャプスタンスクリュー９１４が設けられている。キャプスタンスクリュー９１４は、鍵９１０の後方が演奏者により押し込まれることにより鍵９１０の前方が上がったときに、後述するウィッペン９２０を上方に押し上げるものである。鍵９１０の更に前方にはバックチェック９１５が設けられている。バックチェック９１５は、打鍵後に戻ってきたハンマー９３２のハンマーヘッド９３５を受け止めるものである。
【００５１】
ウィッペン９２０は、その下端にヒール９２１を備えている。ヒール９２１は、上述のキャプスタンスクリュー９１４の上に当接している。ウィッペン９２０は、ウィッペンフレンジ９６３に、ピン９７２によって軸支されることにより、ピン９７２を軸として回動できるようになっている。ウィッペンフレンジ９６３はウィッペンレール９６４に固定されている。ウィッペンレール９６４は長尺の部材であり、左右のブラケット９６２（図１０と図１１では、１つだけ図示）の間に架け渡され、グランドピアノを横断するようにして固定されている。
ウィッペン９２０の前後方向の中程の上側には、支柱状のレペティションレバーフレンジ９２２が設けられている。レペティションレバーフレンジ９２２は、レペティションレバー９２３との接続をなすためのものであり、その上端は、レペティションレバー９２３の前後方向の中間部分とピン９７３により接続されている。レペティションレバー９２３は、ピン９７３を軸としてレペティションレバーフレンジ９２２に対して回動可能となっている。
【００５２】
ウィッペン９２０の後端には、ジャック９２４が接続されている。ジャック９２４は、側面視略Ｌ字型の部材であり、その角の部分が、ピン９７４によりウィッペン９２０の後端に接続されている。ジャック９２４はピン９７４を軸として、ウィッペン９２０に対して回動可能となっている。ジャック９２４は、大ジャックとも呼ばれる長い突き上げ部９２５と、小ジャックとも呼ばれる短いジャックテール９２６とを有している。突き上げ部９２５の上端部が、レペティションレバー９２３の後端側に形成された、レペティションレバー９２３を上下方向で貫通する、レペティションレバー９２３の長さ方向にある程度の長さを持たせた細長い孔（図示を省略）の中に差し込まれている。静止状態では、ジャック９２４の突き上げ部９２５の上端は、レペティションレバー９２３に設けられた上述の細長い孔を貫通したうえで、後述するハンマーシャンクローラ９３９と当接した状態となるようになっている。
ウィッペン９２０、レペティションレバーフレンジ９２２、レペティションレバー９２３及びジャック９２４は、それらの全体が、ウィッペンフレンジ９６３を中心として一体になって回動する部品群を構成している。
【００５３】
ハンマー９３２は、弦９９０を打つためのものである。この実施形態におけるグランドピアノのハンマー９３２の構成は、従来のハンマーと同じで良く、この実施形態ではそうされている。また、グランドピアノのハンマー９３２の構成は、後述するハンマーローラを有する点を除いて、アップライトピアノのハンマーに同じである。
ハンマー９３２は、第１実施形態におけるアップライトピアノの場合と同様のハンマーシャンク９３３とハンマーウッド９３４と、ハンマーフェルト９３６とを有している。第２実施形態でも、第１実施形態と同じくハンマーウッド９３４とハンマーフェルト９３６とを併せたものがハンマーヘッド９３５である。
前述のハンマーシャンクローラ９３９は、ハンマーシャンク９３３の基端よりの部分の下側に取付けられている。ハンマーシャンクローラ９３９は、図１０、図１１において、時計回り及び反時計回りの双方向に回転自在とされたローラであり、後述のようにしてジャック９２４の突き上げ部９２５がハンマーシャンク９３３を上方に持ち上げる際において、突き上げ部９２５からハンマーシャンク９３３へかかる力を素早く開放するためのものである。ハンマーシャンクローラ９３９の幅は、レペティションレバー９２３に設けられた上述の細長い孔の幅よりも広く、アクション９０１が静止状態にあるときには、ハンマーシャンクローラ９３９の下面は、孔の両側部分で、レペティションレバー９２３の上面に当接している。
ハンマーシャンク９３３は、その後端部においてハンマーシャンクフレンジ９６５に取付けられている。かかる取付けは、ピン９７５を用いて行われている。ハンマーシャンク９３３は、ピン９７５を軸としてハンマーシャンクフレンジ９６５に対して回動可能にされている。ハンマーシャンクフレンジ９６５はハンマーシャンクレール９６６に固定されている。ハンマーシャンクレール９６６は左右のブラケット９６２の間に架け渡されて固定される長尺の部材である。
【００５４】
ハンマーシャンク９３３、ハンマーヘッド９３５及びハンマーシャンクローラ９３９を含むハンマー９３２が、ハンマーシャンクフレンジ９６５に対してピン９７５を中心として一体になって回動するようになっている。
【００５５】
ハンマーシャンク９３３の下方には、レペティションレバー９２３が位置している。鍵９１０が静止位置にあるとき、上述のハンマーシャンクローラ９３９がレペティションレバー９２３の上側に当たっている。
【００５６】
ハンマーシャンク９３３の先端側の下方であって、且つウィッペン９２０の前端部の上方には、ハンマーストップレール９６７が形成されている。ハンマーストップレール９６７は、左右のブラケット９６２の間に架け渡されることによりブラケット９６２に固定されている長尺の部材である。
弦９９０がハンマーヘッド９３５の上方に張られている。
【００５７】
次に、このグランドピアノの使用方法、及び動作について説明する。
先ず、鍵９１０が静止位置にある場合を説明する（図１０を参照）。
鍵９１０の後端が押される前の状態では、鍵９１０の前端は最も下降した位置にある。このとき、ウィッペン９２０及びレペティションレバー９２３の前端は、それぞれ最も下降した位置にある。
このとき、ウィッペン９２０のヒール９２１がキャプスタンスクリュー９１４に当接し、キャプスタンスクリュー９１４を下向きに押圧している。
また、ハンマーシャンクローラ９３９は、その下面で、ジャック９２４の突き上げ部９２５の上端と、レペティションレバー９２３の上面とに当接している。
【００５８】
次に、演奏者が静止位置にある鍵９１０の後端を押した場合を図１１を用いて説明する。
演奏者が静止位置にある鍵９１０の後端を押すと、鍵９１０の前端側が上昇する。そうすると、鍵９１０の前寄りの部分に設けられたキャプスタンスクリュー９１４が、それに当接しているヒール９２１を下から押し上げる。それにより、ウィッペン９２０の全体が、ピン９７２を軸として、ウィッペンフレンジ９６３に対して回動しつつ上昇する。ウィッペン９２０が反時計回りに回動しつつ上昇すると、それに伴いウィッペン９２０に設けられたレペティションレバーフレンジ９２２が回動しつつ上昇し、レペティションレバーフレンジ９２２に接続されたレペティションレバー９２３も回動しつつ上昇する。
そうすると、レペティションレバー９２３がハンマーシャンクローラ９３９を押し上げ、ジャック９２４の突き上げ部９２５がハンマーシャンクローラ９３９を突き上げる。ジャック９２４の突き上げ部９２５によるハンマーシャンクローラ９３９の突き上げにより、ハンマー９３２がハンマーシャンクフレンジ９６５に設けられたピン９７５を軸として、ハンマーシャンクフレンジ９６５に対して回動する。演奏者が引き続き鍵９１０を押し続けると、ジャック９２４は、ピン９７４を軸としてウィッペン９２０に対して時計回りに回動し、その結果ジャック９２４の突き上げ部９２５が、図１１に示したように後方にずれてハンマーシャンクローラ９３９の下から外れる。ハンマーシャンクローラ９３９は、ハンマーシャンクローラ９３９の下からジャック９２４の突き上げ部９２５が素早く離脱するのを助ける。
【００５９】
その後もハンマー９３２は惰性で上方の弦９９０に向かって時計回りに回動する。ハンマー９３２が回動する過程で、ハンマーシャンクローラ９３９がレペティションレバー９２３から離れて、ハンマー９３２の動きが鍵９１０の動きから切り離される。そして、ハンマーヘッド９３５が弦９９０を打つ（図１１を参照）。
ハンマーヘッド９３５が弦９９０を打った後、ハンマー９３２は直ちに反転し、重力に従い、回動しつつ下降する。そして、ハンマーシャンクローラ９３９がレペティションレバー９２３の上に当たり、ハンマーシャンクローラ９３９がレペティションレバー９２３を押し下げる。その後、ハンマーヘッド９３５はバックチェック９１５につかまって止まる。
【００６０】
演奏者が指を鍵９１０から離すと、ウィッペン９２０、レペティションレバー９２３及びハンマー９３２等の荷重が、ヒール９２１からキャプスタンスクリュー９１４に働き、鍵９１０の後端部が下降する。バックチェック９１５は鍵９１０の前端部と一緒に下降し、ハンマーヘッド９３５がバックチェック９１５から離れ、ハンマー９３２がさらに下降する。そして、ハンマーシャンク９３３がハンマーストップレール９６７に瞬間的に当たった後、ハンマー９３２が数ｍｍ上昇して止まり、鍵９１０が静止位置に戻る。ハンマーシャンク９３３がハンマーストップレール９６７に瞬間的に当たるとき、ハンマー９３２は最も下降した位置にある。
これにより、アクション９０１は、図１０に示した静止状態に戻り、同じ鍵９１０を再度打鍵できるようになる。
【００６１】
以上説明したのは、極普通のグランドピアノの構成であり、その使用方法及び動作である。
第２実施形態のグランドピアノは、上述した通り、ダミー部材を備えている。それについて説明する。なお、以下に説明するダミー部材は、グランドピアノに当初から（例えば販売前から）取付けられていても良いし、完成品の（例えば販売済みの）グランドピアノに対して後付けされたものであっても良い。
第２実施形態のグランドピアノに取付けられるダミー部材は、第１実施形態のアップライトピアノに取付けられるダミー部材と同様のものとすることができる。
第２実施形態のグランドピアノに取付けられるダミー部材は、第１実施形態の場合と同様に、グランドピアノに取付けられているハンマー９３２が備えるハンマーヘッド９３５と同様に構成され、グランドピアノに取付けられているハンマー９３２が備える他のハンマーヘッド９３５と側面視した場合の形状、大きさが略等しくなるように構成された、ダミーハンマーヘッド９３５Ｘとすることができる。この場合ダミーハンマーヘッド９３５Ｘは、第１実施形態の場合と同様に、ダミーハンマーウッド９３４Ｘ、及びダミーハンマーフェルト９３６Ｘを有する（図１２、図１３参照）。
また、第２実施形態のグランドピアノにダミー部材が取付けられる場合、ダミー部材は、第１実施形態の場合と同様に、グランドピアノに取付けられているハンマー９３２が備えるハンマーヘッド９３５と側面視した場合の形状、大きさが略等しくなるように構成された、例えばハンマーヘッド９３５よりもその厚さが小さい板であるダミー板とすることができる。
ダミーハンマーヘッド９３５Ｘ又はダミー板は、それらの他のハンマーヘッド９３５に対する相対的な位置関係が、第１実施形態におけるダミーハンマーヘッド３５Ｘ又はダミー板３５Ｙと他のハンマーヘッド３５との相対的な位置関係と同じになるようにして、グランドピアノに対して取付けることができる。
つまり、第２実施形態の場合においても、ダミーハンマーヘッド９３５Ｘ又はダミー板は、各セクションの端に位置するハンマーヘッド９３５のうちの少なくとも１つに近接させた状態で配置することができる。これには限られないが、この実施形態におけるダミーハンマーヘッド９３５Ｘ又はダミー板は、すべてのセクションの端に位置するハンマーヘッド９３５のそれらハンマーヘッド９３５が属するセクションの外側に配置される。
ダミーハンマーヘッド９３５Ｘ又はダミー板が、セクションの端に位置するハンマーヘッド９３５のそれらハンマーヘッド９３５が属するセクションの外側に配置される場合、ダミーハンマーヘッド９３５Ｘ又はダミー板の内側面は、第１実施形態の場合と同様に、セクションの端に位置するハンマーヘッドである対象ハンマーヘッドの外側面と、側面視した場合に略重なるような位置関係となるようにする。また、ダミーハンマーヘッド９３５Ｘの内側面から対象ハンマーヘッドの外側面までの間隔は、対象ハンマーヘッドの１つ内側に位置するハンマーヘッド９３５の外側面から対象ハンマーヘッドの内側面までの間隔と等しくなるようにする。
【００６２】
ダミーハンマーヘッド９３５Ｘ又はダミー板は、適当な方法でグランドピアノに対して固定すれば良い。ダミーハンマーヘッド９３５Ｘ、ダミー板はともに、第１実施形態におけるそれらと同様に、いずれの鍵９１０とも切り離されており、いずれの鍵９１０を押しても動かないようになっている。したがって、ダミーハンマーヘッド９３５Ｘ又はダミー板のグランドピアノに対する固定は、アクション９０１を構成する部品に対して干渉しないようになっていればどのようにされていても構わない。
例えば、図１２のようにして、ダミーハンマーヘッド９３５Ｘをグランドピアノに対して固定することができる。この場合ダミーハンマーヘッド９３５Ｘは、他のハンマーヘッドが備えるハンマーシャンク９３３と同様に構成されたダミーハンマーシャンク９３３Ｘを介してハンマーシャンクレール６５に固定される。なお、この場合のダミーハンマーシャンク９３３Ｘには、ハンマーシャンクローラ９３９を設けるには及ばない。また、ダミーハンマーシャンク９３３Ｘは、その基端に、それと一体とされたハンマーシャンクフレンジ９６５に相当する部材を備えており、そのハンマーシャンクフレンジ９６５に相当する部材を介して、ハンマーシャンクレール９６６に対して回転できないようにして固定されている。この場合の固定はどのようにして行っても良いが、例えば、釘や木ねじを打込む、或いは接着剤を用いた接着を行うなどの周知技術を用いることにより、かかる固定を行える。もっとも、ダミーハンマーシャンク９３３Ｘは、ハンマーシャンクレール９６６とダミーハンマーヘッド９３５Ｘの接続をなすことのみを目的としたものであるから、その基端にハンマーシャンクフレンジ９６５に相当する部材を一体として設ける必要は必ずしもなく、他の部材を介して、例えばダミーハンマーシャンク９３３Ｘすら用いずに、ハンマーシャンクレール９６６に固定されるようになっていても一向に構わない。
また、ダミーハンマーヘッド９３５Ｘは、図１３に示したように、ハンマーストップレール９６７に対して固定することができる。この場合ダミーハンマーヘッド９３５Ｘは、例えば棒状の接続部材９３３Ｘ１を介してハンマーストップレール９６７に固定される。接続部材９３３Ｘ１と、ダミーハンマーヘッド９３５Ｘ又はハンマーストップレール９６７との固定の方法は、ダミーハンマーシャンク９３３Ｘと、ハンマーシャンクレール９６６との固定の方法に倣って適当に行えば良い。図１３に示した接続部材９３３Ｘ１はクランクしているが、接続部材９３３Ｘ１の形状がこの限りではないことは当然である。
以上、図１２及び図１３を用いてダミーハンマーヘッド９３５Ｘのグランドピアノに対する固定の方法を説明したが、同様の方法でグランドピアノに対してダミー板を固定することができる。
【符号の説明】
【００６３】
３２  ハンマー
３３  ハンマーシャンク
３４  ハンマーウッド
３５  ハンマーヘッド
３６  ハンマーフェルト
３５Ａ  対象ハンマーヘッド
３３Ｘ  ダミーハンマーシャンク
３４Ｘ  ダミーハンマーウッド
３５Ｘ  ダミーハンマーヘッド
３６Ｘ  ダミーハンマーフェルト
３５Ｙ  ダミー板
９３２  ハンマー
９３３  ハンマーシャンク
９３４  ハンマーウッド
９３５  ハンマーヘッド
９３６  ハンマーフェルト
９３３Ｘ  ダミーハンマーシャンク
９３４Ｘ  ダミーハンマーウッド
９３５Ｘ  ダミーハンマーヘッド
９３６Ｘ  ダミーハンマーフェルト
【図１】
0006646903.tif 000002
【図２】
0006646903.tif 000003
【図３】
0006646903.tif 000004
【図４】
0006646903.tif 000005
【図５】
0006646903.tif 000006
【図６】
0006646903.tif 000007
【図７】
0006646903.tif 000008
【図８】
0006646903.tif 000009
【図９】
0006646903.tif 000010
【図１０】
0006646903.tif 000011
【図１１】
0006646903.tif 000012
【図１２】
0006646903.tif 000013
【図１３】
0006646903.tif 000014